(57)【要約】      （修正有）【課題】ドアあるいはその他のクロージャ用の引込み式ハンドル構造及び引込み式ドアハンドル構造を提供する。【解決手段】第１端部及び第２端部を含むハンドルにして、格納位置及び配置位置間を可動であり、第１端部及び第２端部間に配置したハンドルピボット軸を中心としてピボット取り付けられたハンドル、ハンドルから伸延する作動部材２８、ハンドルをその格納位置から配置位置に移動させる第１レバーアーム、ハンドルがその配置位置から作動位置に移動するのに応答して解放機構を作動させる第２レバーアーム４２、及び駆動機構を含み、駆動機構が第１レバーアームに連結され、且つ、使用時には第１レバーアームを作動部材に作動上係合させてハンドルを格納位置から配置位置に移動させるように作動自在であり、作動部材が、ハンドルが配置位置から作動位置に移動する際に第２レバーアームと作動上係合するように構成される。【選択図】図３
2019049188.tif 000002
【特許請求の範囲】
【請求項１】
引込み式ハンドル構造であって、
第１端部及び第２端部を有し、格納位置と、配置位置との間で可動のハンドルにして、第１端部と、第２端部との間に配置したハンドルピボット軸を中心としてピボット取り付けしたハンドル、
ハンドルから伸延する作動部材、
ハンドルを格納位置から配置位置に移動させる第１レバーアーム、
ハンドルの配置位置から作動位置への移動に応答して解放機構を作動させる第２レバーアーム、
駆動機構、
を含み、
駆動機構が第１レバーアームに連結され、その使用時に、第１レバーアームを作動部材と作動上係合させて前記ハンドルを格納位置から配置位置に移動するよう作動自在であり、
作動部材が、ハンドルが配置位置から作動位置に移動する際に第２レバーアームと作動上係合するように構成される引込み式ハンドル構造。
【請求項２】
第１レバーアームが、作動部材の第１側部上で第１レバーピボット軸を中心としてピボット取り付けされる請求項１に記載の引込み式ハンドル構造。
【請求項３】
第１ピボット軸はハンドルピボット軸に実質的に直角を成す請求項２に記載の引込み式ハンドル構造。
【請求項４】
第２レバーアームは作動部材の第２側部上で第２レバーピボット軸を中心としてピボット取り付けされる請求項１〜３の何れかに記載の引込み式ハンドル構造。
【請求項５】
第２ピボット軸はハンドルピボット軸に実質的に直角を成す請求項４に記載の引込み式ハンドル構造。
【請求項６】
作動部材はハンドルに実質的に直角を成して伸延する請求項１〜５の何れかに記載の引込み式ハンドル構造。
【請求項７】
駆動機構は、モーターと、モーターに第１レバーアームを連結する伝達手段とを含む請求項１〜６の何れかに記載の引込み式ハンドル構造。
【請求項８】
伝達手段は、モーターが第１方向に駆動される場合は第２配置相中のハンドルの移動速度が、初期配置相中におけるそれより高速となるように構成される請求項７に記載の引込み式ハンドル構造。
【請求項９】
伝達手段は、ハンドルが第３配置相中に配置位置に徐々に停止されるように構成される請求項７に記載の引込み式ハンドル構造。
【請求項１０】
ハンドルを格納位置方向に偏倚させるように構成された戻りバネを含む請求項１〜９の何れかに記載の引込み式ハンドル構造。
【請求項１１】
第２レバーアームをラッチ止め位置方向に偏倚させるように構成された戻りバネを含む請求項１〜１０の何れかに記載の引込み式ハンドル構造。
【請求項１２】
配置位置のハンドルを格納位置に付勢する方向でハンドルに付加される力を検出するセンサを含み、駆動機構は、前記力を検出するとハンドルを配置位置から格納位置に移動させる構成を有する請求項１〜１１の何れかに記載の引込み式ハンドル構造。
【請求項１３】
ハンドルの配置位置から格納位置への移動を開始させるに十分な力が付加されたことをユーザーに表示するフィードバック装置を含む請求項１２に記載の引込み式ハンドル構造。
【請求項１４】
フィードバック装置は、聴覚フィードバック装置、触覚フィードバック装置及び視覚フィードバック装置の１つ又は１つ以上を含む請求項１３に記載の引込み式ハンドル構造。
【請求項１５】
ハンドル構造は、車のドア、又はその他のクロージャのロック機構に連結され、ロック機構は、力を検出すると起動されてドア、又はその他クロージャをロックするように構成される請求項１３又は１４に記載の引込み式ハンドル構造。
【請求項１６】
ハンドル構造は、ハンドルへの第２の力の付加を検出すると車のドア、又はその他のクロージャのデッドロック機構を起動するように構成される請求項１５に記載の引込み式ハンドル構造。
【請求項１７】
ハンドルピボット軸はハンドルを貫いて伸延し且つハンドル内に配置される請求項１〜１６の何れかに記載の引込み式ハンドル構造。
【請求項１８】
ハンドルは、ハンドルの第１端部と、第２端部との間を伸延する長手方向軸を含み、ハンドルピボット軸は前記長手方向軸と実質的に直角を成して配置される請求項１７に記載の引込み式ハンドル構造。
【請求項１９】
ハンドルは、駆動機構とは無関係に手動で格納位置から配置位置に移動し得るように駆動機構に連結される請求項１〜１８の何れかに記載の引込み式ハンドル構造。
【請求項２０】
ハンドルは少なくとも一時的に駆動機構から分離自在である請求項１〜１９の何れかに記載の引込み式ハンドル構造。
【請求項２１】
引込み式ハンドル構造は、キーブレードを受けるキーバレルを含み得、キーバレルは、格納位置ではハンドルによりキーバレルが隠されるようにハンドルの裏側に配置される請求項１〜２０の何れかに記載の引込み式ハンドル構造。
【請求項２２】
ハンドルピボット軸は、格納位置ではハンドルの裏側にキーバレルが実質的に残され、キーバレル及びハンドルが、ハンドルピボット軸を含む平面に実質的に直角を成す同一平面内に配置され得るように構成される請求項２１に記載の引込み式ハンドル構造。
【請求項２３】
ハンドルは、ユーザーがハンドルを片手で配置できるよう、ハンドルの第１端部に近接して配置したアンロックボタンを含む請求項１〜２２の何れかに記載の引込み式ハンドル構造。
【請求項２４】
アンロックボタンは、ユーザーが親指でアンロックボタンを押してハンドルを配置状態に移動させ且つハンドルの第２端部を１本又は１本以上の指で把持し得るように位置付けられる請求項２３に記載の引込み式ハンドル構造。
【請求項２５】
格納位置のハンドルへの、ハンドルを配置位置に付勢する方向で付加される力を検出するセンサを含み、前記力を検出するとハンドルを格納位置から配置位置に移動させるように構成される請求項１〜２４の何れかに記載の引込み式ハンドル構造。
【請求項２６】
格納位置のハンドルへの、ハンドルを格納位置に付勢する方向で付加される力を検出するセンサを含み、前記力を検出するとハンドルを格納位置から配置位置に移動させるように構成される請求項１〜２５の何れかに記載の引込み式ハンドル構造。
【請求項２７】
請求項１〜２４の何れかに記載する引込み式ハンドル構造を各々含む複数のドア、又はその他クロージャを有する車であって、車に設けられる全ての引込み式ハンドル構造に制御ユニットを連結した車。
【請求項２８】
制御ユニットは、配置位置のハンドルの１つ又は１つ以上に付加される力のパラメータに基づき、引込み式ハンドル構造の１つ又は全てを配置位置から格納位置に移動させるかを判定し、前記判定に従い、各引込み式ハンドル構造の駆動機構を制御するように構成される請求項２７に記載の車。
【請求項２９】
ドア、あるいはその他クロージャの各々におけるロック機構を含み、且つ更に、制御ユニットは、ハンドルの１つに付加される力のパラメータに基づき、ドア、又はその他クロージャの１つ又は全てをロックするようにロック機構を起動させるように構成される請求項２７又は２８に記載の車。
【請求項３０】
パラメータは、力の持続時間、力の大きさ、力の方向及び力の付加回数、の１つである請求項２９に記載の車。
【請求項３１】
車用の車体コンポーネントであって、請求項１〜２６の何れかに記載する引込み式ハンドル構造のハンドルを受ける切り欠き又は穴を含む外側パネルを含み、切り欠き又は穴が外側パネルの縁部を画定し、ハンドルが格納位置にある時は、ハンドルが外側パネルの切り欠き又は穴の内部にぴったりと受けられ、ハンドルの外側表面が、切り欠き又は穴と一致する形状を有し且つ外側パネルと面一配置される車体コンポーネント。
【請求項３２】
ハンドルと、外側パネルの前記切り欠き又は穴により画定される縁部との間に可撓性のシール部材が配置される請求項３１に記載の車体コンポーネント。
【請求項３３】
引込み式ハンドル構造の作動方法であって、引込み式ハンドル構造が、ハンドルを格納位置から配置位置に移動させる駆動手段を介してハンドルピボット軸を中心として可動のハンドルを含み、
前記方法は、
駆動手段を第１方向に作動させてハンドルを格納位置から配置位置に移動させるステップを含む方法。
【請求項３４】
駆動手段を第１レバーアームに連結するように構成された伝達手段にして、第１レバーアームが、ハンドルを格納位置から配置位置に移動させるためにハンドルに連結した伝達手段を含み、
駆動手段を起動して伝達手段を第１方向に駆動させ、それにより、第１レバーアームをレバーピボット軸を中心としてピボット作動させてハンドルから伸延する作動部材の第１側部に係合させ、かくしてハンドルを格納位置から配置位置に移動させるステップを含む請求項３３に記載の方法。
【請求項３５】
第２配置相中は初期配置相中より高速でハンドルを移動させるステップを含む請求項３３に記載の方法。
【請求項３６】
第３配置相中にハンドルを配置位置に徐々に停止させるステップを含む請求項３５に記載の方法。
【請求項３７】
ハンドルをハンドルピボット軸を中心として第１方向に回転させて配置位置から作動位置とし、それにより、第２レバーアームを作動部材の、第１側部とは反対側の第２側部に係合させるステップ、
第２レバーアームを、ハンドルピボット軸に実質的に直角を成して取り付けた第２レバーピボット軸を中心として回転させ、それにより第２レバーアームでドア解放機構を作動させるステップを含む請求項３４に記載の方法。
【請求項３８】
ハンドルを、ハンドルピボット軸を中心として第２方向に回転させて配置位置から格納位置とするステップ、
モーターを起動して伝達手段を第２方向に駆動させ、それにより、
第１レバーアームをレバーピボット軸を中心としてピボット作動させ、かくしてハンドルを配置位置から格納位置に移動させるステップ、
を含む請求項３７に記載の方法。
【請求項３９】
ハンドルは、弾力偏倚装置により格納位置に戻るよう偏倚され、前記モーターを起動して伝達手段を第２方向に駆動させ、かくして前記弾力性偏倚装置がハンドルを配置位置から格納位置に移動できるようにするステップを含む請求項３７に記載の方法。
【請求項４０】
ハンドル構造は、ハンドルの移動を検出する又はハンドルに付加される力を検出するセンサを含み、前記ハンドルの移動又はハンドルへの付加力を検出して駆動手段を第２方向で作動させ、それにより、ハンドルを配置位置から格納位置に移動するステップを含む請求項３３〜３９の何れかに記載の方法。
【請求項４１】
ハンドル構造は制御ユニットを含み、ハンドルに付加される力又はハンドルの移動のパラメータ又は特性に基づいて、必要なアクションを判定するステップを含む請求項３３〜４０の何れかに記載の方法。
【請求項４２】
ハンドル構造は車の各ドア又はその他クロージャに設けられ、各ドア又はその他クロージャはロック機構と、デッドロック機構とを含み、
ハンドルに付加される力又はハンドルの移動の予め定義されたパラメータを検出するステップ及び、
力又は移動が付加されるハンドル構造を含む車のドア又はその他クロージャ上に設けたロック機構を起動させるステップ、又は、
車の全てのドア又はその他クロージャ上に設けられたロック機構を起動させるステップ又は、
力又は移動が付加されるハンドル構造を含む車のドア又はその他クロージャ上に設けられたデッドロック機構を起動させるステップ又は、
車の全てのドア又はその他クロージャ上に設けられたデッドロック機構を起動させるステップ、
を含む請求項４１に記載の方法。
【請求項４３】
請求項１〜２６の何れかに記載するハンドル構造を有し請求項３３〜４２の何れかに記載する方法を使用するように適合された車。
【請求項４４】
１つ又は１つ以上のドアを含み、ハンドルが個別の各ドア用のロック状態インジケータとして作用する請求項４３に記載の車。
【請求項４５】
付随する図面を参照して本明細書に実質的に説明、及び又は、例示された引込み式ハンドル構造。
【発明の詳細な説明】
【技術分野】
【０００１】
本発明はドアあるいはその他のクロージャ用の引込み式ハンドル構造及び引込み式ドアハンドル構造の配置方法に関する。本発明の様相は、ハンドル構造、ボディーコンポーネント、方法及び車に関する。
【背景技術】
【０００２】
本発明を車のドアに関して説明するが、本発明はトランク等の、車のその他のクロージャ、あるいは飛行機等のその他形式の乗り物で使用可能である。実際、本発明の引込み式ハンドル構造は広い意味で非自動車用途で使用できる。
審美上、空力上、そして風騒音を制御する要求上、ドアハンドルを車の周囲ドアスキンと面一状態で配置させることが望ましい場合がある。フラップタイプのドアハンドルはこの理由から使用され得る。それらハンドルは代表的には、バネ偏倚に抗して引き出され、周囲ドアスキンに関して外側にピボット作動させてドアをアンラッチさせるトップピボット式フラップを含む。ドアスキンの、通常、ハンドルのフラップに隣り合う部分、最も一般的にはその真下に指凹所が設けられる。指凹所は、ハンドルを引いてドアをアンラッチ及び開放させ得るように指をハンドル後部にアクセスさせる。
【０００３】
フラップタイプハンドルは使いにくく且つ他のタイプのハンドルのように楽に、あるいは、十分に把持できない。恐らく最も使いやすいタイプのハンドルは、ユーザーが手で掴めるバー状の突出した手摺又は握り部であり、その一例は握り部がループの一部を構成するストラップタイプハンドルである。
ストラップタイプハンドルはエルゴノミクス及び荷重移動の点で、例えば、ユーザーがオーバーハンド又はアンダーハンドの把持スタイルを選べないフラップタイプハンドルの使用に勝る特定の利益を有する。フラップタイプハンドルには、ユーザーの姿勢に関する、車において位置決め可能な場所の制約もある。しかし残念なことに、ストラップタイプハンドルの突出するハンドグリップ部はフラッシュマウントの利益を有さない。
【０００４】
関連する指凹所を備えるフラップタイプハンドルにも審美上の制約がある。従って、ドアスキン及び隣接するフラップタイプハンドルと面一配置され、しかしハンドルを操作するユーザーの指を受けるように内方にピボット作動するヒンジ式カバープレート付きの指凹所を提供する従来技術が幾つか提案されて来ている。しかしながらこのカバープレートは、ハンドルをむしろより使いにくくするというフラップタイプハンドルの固有の問題を解消しない。このカバープレートは、恐らく、指凹所をカバーしないままの場合より見た目が良くならない。
これらの問題の幾つかを解決し且つ“意外で且つ面白い”特徴を提供するべく、あるドアハンドルは引込み可能に車にフラッシュマウントされる。これは、ハンドルが２つの状態、即ち、ハンドルがフラッシュマウントされた格納又は引込み状態と、ハンドルが掴み易いように周囲の車体から突き出す又は伸張状態との間で可動であることを意味する。ハンドルの格納及び配置状態間での移動は自動機構により実施され得る。
【０００５】
ハンドルを配置状態にした後、ハンドルを引くとドアを開けることができる。これは、ハンドルを、ドアをアンラッチさせるための第３の作動状態に、代表的には配置したハンドルをバネ偏倚に抗してピボット作動させて移動することを含む。配置状態から第３の作動状態に移動するに際し、ハンドルは、例えば、ドアラッチに作用するボーデンケーブルを引いて機械的に又はドアラッチに作用するソレノイドを切り替えて電気的に、ドアをアンラッチさせ得る。
引込み式のこのようなドアハンドルには、ユーザーがハンドルを配置状態にしないとハンドルを握ってドアを開けることができない問題がある。湿潤及び凍結条件下ではドアハンドル構造は凍結する恐れがある。そのため、ハンドルが自動機構で配置される場合はユーザーは氷のためにハンドルを配置できず、ドアハンドルの氷が溶けるまでドアを開けられないために不便であり且つ時間の無駄になる。
【０００６】
更には、自動機構でドアハンドルを配置状態から格納状態に引き込ませる際上述した種類の引込み式ドアハンドルには別の問題もある。それは、ハンドルの引込み時にユーザーがハンドルを握っていると、ユーザーの指がハンドルと周囲ドアスキンとの間に捕捉され得る危険性があることである。
更には、上述したこの種の引込み式ドアハンドルはユーザーが乱暴に扱うと破損しやすい。そのような破損は、ユーザーがドアハンドルを配置状態から無理に格納状態とし、その際に機構を破壊し得る応力が付加されることで生じ得る。
加えて、そのような引込み式ドアハンドルには、ドアハンドル及び関連する配置機構を受け且つ取り付けるドア内部の空間が限られるという問題があり、ドアハンドルをドアの外側スキンとフラッシュマウントする場合はこの問題は更に大きくなり、ウィンドウやウィンドウ引込み用の引込み機構等のその他コンポーネントがドアキャビティ内に収納されることで空間は更に制限される。
【０００７】
更に、引込み式ハンドル構造に関しては、ドアのロック及びアンロック用手段等の関連する機能性をユーザーにとって直覚的且つ簡単な方法で提供する上での別の問題がある。
【先行技術文献】
【特許文献】
【０００８】
【特許文献１】ＧＢ１１１０４８７．４号明細書
【特許文献２】ＰＣＴ／ＥＰ２０１２／０６２０４０号
【発明の概要】
【発明が解決しようとする課題】
【０００９】
上述した従来問題の少なくとも幾つかを実質的に解消又は緩和する引込み式ハンドル構造を提供することである。
【課題を解決するための手段】
【００１０】
本発明の様相は、付随する請求の範囲に記載した如き、ハンドル構造、車体コンポーネント、方法及び車に関する。
本発明の１様相によれば、引込み式のハンドル構造であって、
第１端部及び第２端部を有し、格納位置と、配置位置との間で可動のハンドルにして、第１端部と、第２端部との間に配置したハンドルピボット軸を中心としてピボット取り付けしたハンドル、
ハンドルから伸延する作動部材、
ハンドルを格納位置から配置位置に移動させる第１レバーアーム、
ハンドルの配置位置から作動位置への移動に応答して解放機構を作動させる第２レバーアーム、
駆動機構、
を含み、
駆動機構が第１レバーアームに連結され、その使用時に、第１レバーアームを作動部材と作動上係合させて前記ハンドルを格納位置から配置位置に移動させるよう作動自在であり、
作動部材が、ハンドルが配置位置から作動位置に移動する際に第２レバーアームと作動上係合するように構成されるハンドル構造が提供される。
【００１１】
第１レバーアームは作動部材の第１側部上で第１レバーピボット軸を中心にピボット取り付けされ得る。
第１ピボット軸はハンドルピボット軸に実質的に直角を成し得る。
第２レバーアームは作動部材の第２側部上で第２レバーピボット軸を中心としてピボット取り付けされ得る。
第２ピボット軸はハンドルピボット軸に実質的に直角を成し得る。
作動部材はハンドルに実質的に直角を成して伸延され得る。
駆動機構は、モーターと、モーターを第１レバーアームに連結する伝達手段とを含み得る。
【００１２】
伝達手段は、モーターが第１方向で駆動される場合はハンドルの第２配置相中の移動速度が初期配置相中の速度より高速となるように構成され得る。
伝達手段は、第３配置相中はハンドルが配置位置に徐々に停止するように構成され得る。
引込み式ハンドル構造は、ハンドルを格納位置に偏倚させるように構成した戻りバネを含み得る。
引込み式ハンドル構造は、第２レバーアームをラッチ止め位置に偏倚させるように構成した戻りバネを含み得る。
【００１３】
引込み式ハンドル構造は、
配置位置のハンドルを格納位置に付勢する方向でハンドルに付加される力を検出するセンサを含み得、
駆動機構は、前記力を検出するとハンドルを配置位置から格納位置に移動させる構成を有する。
引込み式ハンドル構造は、ハンドルの配置位置から格納位置への移動を開始させるに十分な力がハンドルに付加されたことをユーザーに表示するフィードバック装置を含み得る。
【００１４】
フィードバック装置は、聴覚フィードバック装置、触覚フィードバック装置及び視覚フィードバック装置の１つ又は１つ以上を含む。
引込み式ハンドル構造は、車のドア、又はその他のクロージャのロック機構に連結され得、ロック機構は、力を検出すると起動されてドア、又はその他クロージャをロックするように構成される。
引込み式ハンドル構造は、ハンドルへの第２の力の付加を検出すると車のドア、又はその他のクロージャのデッドロック機構を起動するように構成される。
ハンドルピボット軸はハンドルを貫いて伸延し且つハンドル内に配置され得る。
ハンドルは、ハンドルの第１端部と、第２端部との間を伸延する長手方向軸を含み得、ハンドルピボット軸は前記長手方向軸と実質的に直角を成して配置され得る。
【００１５】
ハンドルは、駆動機構とは無関係に手動で格納位置から配置位置に移動し得るように駆動機構に連結され得る。
ハンドルは少なくとも一時的に駆動機構から分離自在であり得る。
引込み式ハンドル構造は、キーブレードを受けるキーバレルを含み得、キーバレルは、格納位置のハンドルによりキーバレルが隠されるようにハンドルの裏側に配置される。
【００１６】
ハンドルピボット軸は、格納位置のハンドルの裏側にキーバレルが実質的に残され、キーバレル及びハンドルが、ハンドルピボット軸を含む平面に実質的に直角を成す同一平面内に配置され得るように構成され得る。
ハンドルは、ユーザーがハンドルを片手で配置できるよう、ハンドルの第１端部に近接して配置したアンロックボタンを含み得る。
アンロックボタンは、ユーザーが親指でアンロックボタンを押してハンドルを配置状態に移動させ且つハンドルの第２端部を１本又は１本以上の指で把持し得るように位置付け得る。
【００１７】
引込み式ハンドル構造は、
格納位置のハンドルへの、ハンドルを配置位置に付勢する方向で付加される力を検出するセンサを含み得、引込み式ハンドル構造は、前記力を検出するとハンドルを格納位置から配置位置に移動させるように構成される。
引込み式ハンドル構造は、
格納位置のハンドルへの、ハンドルを格納位置に付勢する方向で付加される力を検出するセンサを含み得、引込み式ハンドル構造は、前記力を検出するとハンドルを格納位置から配置位置に移動させるように構成される。
【００１８】
本発明の他の様相によれば、上述した如き引込み式ハンドル構造を各々含む複数のドア、又はその他クロージャを有する車であって、車に設けられる全ての引込み式ハンドル構造に制御ユニットを連結した車が提供される。
制御ユニットは、配置位置のハンドルの１つ又は１つ以上に付加される力のパラメータに基づき、引込み式ハンドル構造の１つ又は全てを配置位置から格納位置に移動させるかを判定し、前記判定に従い、各引込み式ハンドル構造の駆動機構を制御するように構成され得る。
【００１９】
車は、ドア、あるいはその他クロージャの各々におけるロック機構を含み得、且つ更に、制御ユニットは、ハンドルの１つに付加される力のパラメータに基づき、ドア、又はその他クロージャの１つ又は全てをロックするようにロック機構を起動させるように構成され得る。
前記パラメータは、力の持続時間、力の大きさ、力の方向及び力の付加回数、の１つである。
【００２０】
本発明の更に他の様相によれば、車用の車体コンポーネントであって、上述した如き引込み式ハンドル構造のハンドルを受ける切り欠き又は穴を含む外側パネルを含み、切り欠き又は穴が外側パネルの縁部を画定し、ハンドルが格納位置にある時は、外側パネルの切り欠き又は穴の内部にぴったりと受けられ、ハンドルの外側表面が、切り欠き又は穴と一致する形状を有し且つ外側パネルと面一配置される車体コンポーネントが提供される。
ハンドルと、外側パネルの前記切り欠き又は穴により画定される縁部との間に可撓性のシール部材が配置され得る。
【００２１】
本発明の１様相によれば、車用の引込み式ハンドル構造であって、
第１端部及び第２端部を有し、格納位置と、配置位置との間で可動のハンドル、
ハンドル位置を制御する駆動機構、
配置位置のハンドルを格納位置に付勢する方向でハンドルに付加される力を検出するセンサ、
を含み、
引込み式ハンドル構造が、前記力が検出されるとハンドルを配置位置から格納位置に移動させる引込み式ハンドル構造が提供される。
これにより、ハンドル操作が直覚的なものとなる。
【００２２】
ある実施形態では引込み式ハンドル構造は、ハンドルの配置位置から格納位置への移動を開始させるに十分な力が付加されたことをユーザーに表示するためのフィードバック装置を含む。前記フィードバック装置は随意的には、触覚フィードバック装置、聴覚フィードバック装置又は視覚フィードバック装置である。
引込み式ハンドル構造は随意的には、車のドア又はその他クロージャのロック機構に連結され、前記ロック機構は、力を検出するとドア又はその他クロージャをロックするべく起動される。
ある実施形態では引込み式ハンドル構造は、ハンドルへの第２の力の付加を検出すると車のドア又はその他のクロージャのデッドロック機構を起動する。
【００２３】
本発明の他の様相によれば、車用の引込み式ハンドル構造であって、
第１端部及び第２端部を有し、格納位置と、配置位置との間で可動のハンドル、
ハンドル位置を制御する駆動機構、
格納位置のハンドルを配置位置に付勢する方向でハンドルに付加される力を検出するセンサ、
を含み、
引込み式ハンドル構造が、前記力を検出するとハンドルを格納位置から配置位置に移動させる引込み式ハンドル構造が提供される。
【００２４】
本発明の他の様相によれば、車用の引込み式ハンドル構造であって、
第１端部及び第２端部を有し、格納位置と、配置位置との間で可動のハンドル、
ハンドル位置を制御する駆動機構、
格納位置のハンドルを格納位置に付勢する方向でハンドルに付加される力を検出するセンサ、
を含み、
引込み式ハンドル構造が、前記力を検出するとハンドルを格納位置から配置位置に移動させる引込み式ハンドル構造が提供される。
ハンドルは随意的には、前記第１端部と、第２端部との間に配置したハンドルピボット軸を中心としてピボット取り付けされる。
【００２５】
ハンドルピボット軸はハンドルを貫いて伸延され得、且つハンドル内部に配置され得る。
ある実施形態ではハンドルは、第１端部と、第２端部との間を伸延する長手方向軸を含み、ハンドルピボット軸は前記長手方向軸と実質的に直角を成して配置される。
本発明の更に他の様相によれば、上述した如き引込み式ハンドル構造を各々有する複数のドア又はその他クロージャを有する車であって、車に設けた全ての引込み式ハンドル構造に制御ユニットを連結した車が提供される。
【００２６】
ある実施形態では制御ユニットは、配置位置のハンドルの１つ又は１つ以上に付加される力のパラメータに基づき、引込み式ハンドル構造の１つ又は全てを配置位置から格納位置に移動させるかを判定し、前記判定に従い、各引込み式ハンドル構造の駆動機構を制御するように構成され得る。
車は随意的には、ドア、あるいはその他クロージャの各々においてロック機構を含み、制御ユニットは、ハンドルの１つに付加される力のパラメータに基づき、ドア又はその他クロージャの１つ又は全てをロックするようにロック機構を起動させる。
前記パラメータは、力の持続時間、力の大きさ、力の方向及び力の付加回数、の１つであり得る。
【００２７】
本発明の尚他の様相によれば、車用のハンドル構造であって、
第１端部及び第２端部を有し、格納位置と、配置位置との間で可動のハンドル、
ハンドル位置を制御する駆動機構、
を含み、
前記ハンドルが、駆動機構とは無関係に格納位置から配置位置に手動で移動され得るように駆動機構に連結されるハンドル構造が提供される。
本構造には、例えば停電又は駆動手段の故障時に駆動手段がハンドルを配置できない状況下にハンドルを作動させ得る利益がある。本構造によれば、また例えば、ハンドルがドアスキンに固く凍り付いた場合にユーザーはハンドル配置用駆動手段を支援可能である。
【００２８】
ある実施形態ではハンドルは少なくとも一時的に駆動機構から分離自在である。
ハンドル構造は随意的には、ハンドルを配置位置から格納位置に戻すための戻りバネを含む。
これにより、ユーザーの指又は衣類がハンドルに捕捉される恐れが減少する。
ハンドル構造は随意的には、キーブレードを受けるキーバレルを含み得、キーバレルは、格納位置のハンドルによりキーバレルが隠れるようにハンドルの裏側に配置される。
これにより、キーバレル内部への埃又は水分の侵入が低減され、キーバレルの改竄も防止される。
【００２９】
ある実施形態ではハンドルは、第１端部と、第２端部との間に配置したハンドルピボット軸を中心としてピボット取り付けされ、前記ハンドルピボット軸は、ハンドルが格納位置にある時はキーバレルがハンドルの裏側に実質的に隠れた状態に維持され、キーバレル及びハンドルが、ハンドルピボット軸を含む平面に実質的に直角を成す同一平面内に配置されるように構成される。
本発明の尚他の様相によれば、ドア内部に設けたハンドルを含む車用のハンドル構造であって、前記ハンドルが、第１端部及び第２端部を有し、格納位置と、配置位置との間で可動であり、前記ハンドル構造が、ハンドル位置を制御する駆動機構を含み、前記ハンドルが、ユーザーが片手でハンドルを配置させ得るようにハンドルの第１端部に近接して配置したアンロックボタンを含むハンドル構造が提供される。
随意的にはアンロックボタンは、ユーザーが親指で前記アンロックボタンを押してハンドルを配置状態に移動させ且つ１本又は１本以上の指でハンドルの第２端部を把持し得るように位置付け得る。
【００３０】
本発明の尚他の様相によれば、ドア内部に設けたハンドルを含む車用のハンドル構造であって、前記ハンドルが、第１端部及び第２端部を有し、前記ハンドルが、前記第１端部と、第２端部との間に配置したハンドルピボット軸を中心としてピボット取り付けされ、前記ハンドルが、第１端部が回転してドアキャビティ内に伸延し、第２端部が回転してドアの外側表面から外側に伸延する状態下に格納位置と、配置位置との間で可動であり、前記引込み式ハンドル構造が、ハンドル位置を制御する駆動機構を含み、前記ハンドルが、ハンドルの第１端部と、ハンドルピボット軸との間に配置したアンロックボタンにして、前記アンロックボタンを押すとハンドルが配置位置方向に賦勢されて回転するアンロックボタンを含むハンドル構造が提供される。
【００３１】
本発明の更に他の様相によれば、引込み式ハンドル構造であって、
第１端部及び第２端部を有し、格納位置と、配置位置との間で可動のハンドルにして、前記第１端部と、第２端部との間に配置したハンドルピボット軸を中心としてピボット取り付けされたハンドル、
ハンドルから伸延する作動部材、
ハンドルを格納位置から配置位置に移動させる第１レバーアーム、
ハンドルが配置位置から作動位置に移動されるのに応答して解放機構を起動させる第２レバーアーム、
モーター、
を含み、
第１レバーアームは伝達手段によりモーターに連結され、
前記第１レバーアームが、前記モーターが第１方向に駆動される時は作動部材と作動上係合され、
作動部材が、ハンドルが配置位置から作動位置に移動される時は第２レバーアームと作動上係合される引込み式ハンドル構造が提供される。
【００３２】
第１レバーアームは随意的には、作動部材の第１側部上でレバーピボット軸を中心としてピボット取り付けされる。
第２レバーアームは随意的には、作動部材の第２側部上で第２レバーピボット軸を中心としてピボット取り付けされる。
作動部材は随意的には、ハンドルに実質的に直角を成して配置される。
レバーピボット軸は随意的には、ハンドルピボット軸に実質的に直角を成して取り付けられ、第２レバーピボット軸はハンドルピボット軸に実質的に直角を成して取り付けられる。
【００３３】
伝達手段は有益には、第２配置相中のハンドルの移動速度が初期配置相中より高速であるように構成され得る。かくして、ハンドルの配置時間は、ユーザーがハンドルが配置状態になるまで長時間待たされないように最適化され得る。
伝達手段は、第３配置相中にハンドルが徐々に配置状態に停止するように構成され得る。かくして、ハンドルは見た目に上品且つエレガントに徐々に停止され得る。
ある実施形態では引込み式ハンドル構造は、ハンドルを格納位置に偏倚するように配置した戻りバネを含む。
随意的には、引込み式ハンドル構造は第２レバーアームをラッチ止め位置方向に偏倚させるように構成された戻りバネを含む。
【００３４】
本発明の更に他の様相によれば、上述した如き引込み式ハンドル構造のハンドルを受ける切り欠き又は穴を含む外側パネルを含む車用の車体コンポーネントであって、切り欠き又は穴が外側パネルの縁部を画定し、ハンドルが格納位置にある時は、ハンドルが外側パネルの切り欠き又は穴の内部にぴったりと受けられ、ハンドルの外側表面が、切り欠き又は穴と一致する形状を有し且つ外側パネルと面一配置される車体コンポーネントが提供される。
随意的には、ハンドルと、切り欠き又は穴により画定される外側パネルの縁部との間に可撓性のシール部材が設けられる。
【００３５】
本発明の更に尚他の様相によれば、モーター被駆動式の引込み式ハンドル構造の作動方法であって、引込み式ハンドル構造が、ハンドルを格納位置から配置位置に移動させる駆動手段を介してハンドルピボット軸を中心として可動のハンドルを含み、
前記方法は、
駆動手段を第１方向に作動させてハンドルを格納位置から配置位置に移動させるステップを含む方法が提供される。
引込み式ハンドル構造は随意的には、駆動手段を第１レバーに連結するように構成された伝達手段にして、第１レバーが、ハンドルを格納位置から配置位置に移動させるためにハンドルに連結した伝達手段を含み、前記方法は、
駆動手段を起動して伝達手段を第１方向に駆動させ、それにより、第１レバーアームをレバーピボット軸を中心としてピボット作動させてハンドルから伸延する作動部材の第１側部に係合させ、かくしてハンドルを格納位置から配置位置に移動させるステップを含む。
前記方法は随意的には、第２配置相中は初期配置相中より高速でハンドルを移動させるステップを含む。
【００３６】
前記方法は、ある実施形態では、第３配置相中にハンドルを配置位置に徐々に停止させるステップを含み得る。
ある実施形態では前記方法は、ハンドルをハンドルピボット軸を中心として第１方向に回転させて配置位置から作動位置とし、それにより、第２レバーアームを作動部材の、第１側部とは反対側の第２側部に係合させるステップ、第２レバーアームを、ハンドルピボット軸に実質的に直角を成して取り付けた第２レバーピボット軸を中心として回転させ、それにより第２レバーアームがドア解放機構を作動するステップを含む。
【００３７】
前記方法は随意的には、
ハンドルを、ハンドルピボット軸を中心として第２方向に回転させて配置位置から格納位置とするステップ、
モーターを起動して伝達手段を第２方向に駆動させ、それにより、
第１レバーアームをレバーピボット軸を中心としてピボット作動させ、かくしてハンドルを配置位置から格納位置に移動させるステップ、
を含む。
ある実施形態ではハンドルは、弾力性偏倚装置により格納位置に戻るよう偏倚され、前記方法は、
前記モーターを起動して伝達手段を第２方向に駆動させ、かくして前記弾力性偏倚装置がハンドルを配置位置から格納位置に移動できるようにするステップを含む。
【００３８】
随意的にはハンドル構造は、ハンドルの移動を検出する又はハンドルに付加される力を検出するセンサを含み、前記方法は、
前記ハンドルの移動又はハンドルへの付加力を検出して駆動手段を第２方向に作動させ、それにより、
ハンドルを配置位置から格納位置に移動するステップを含む。
随意的にはハンドル構造は制御ユニットを含み、前記方法は、
ハンドルに付加される力又はハンドルの移動のパラメータ又は特性に基づいて、必要なアクションを判定するステップを含む。
【００３９】
ある実施形態ではハンドル構造は車の各ドア又はその他クロージャに設けられ、各ドア又はその他クロージャはロック機構と、デッドロック機構とを含み、前記方法は、
ハンドルに付加される力又はハンドルの移動の予め定義されたパラメータを検出するステップ及び、
力又は移動が付加されるハンドル構造を含む車のドア又はその他クロージャ上に設けたロック機構を起動させるステップ、又は、
車の全てのドア又はその他クロージャ上に設けられたロック機構を起動させるステップ又は、
力又は移動が付加されるハンドル構造を含む車のドア又はその他クロージャ上に設けられたデッドロック機構を起動させるステップ又は、
車の全てのドア又はその他クロージャ上に設けられたデッドロック機構を起動させるステップ、
を含む。
【００４０】
本発明の更に他の様相によれば、モーター被駆動式の引込み式ハンドル構造の作動方法であって、引込み式ハンドル構造が、ハンドルを格納位置から配置位置に移動させる駆動手段を介してハンドルピボット軸を中心として可動のハンドルを含み、前記方法は、
ハンドルを格納位置から配置位置に手動で移動し、それにより、ハンドルを駆動手段から分離させるステップを含む方法が提供される。
本発明の追加的様相によれば、上述した如きハンドル構造を有する車又は方法を使用するように適合された車が提供される。
車は、１つ又は１つ以上のドアと、個別の各ドア用のロック状態インジケータとして作用するハンドルとを含むことが好ましい。
本発明の範囲内で、本明細書、請求の範囲、及び又は、以下の詳細な説明及び図面、及び特にはその個別の特徴において、様相、実施形態、例、及び別態様における単独でのあるいは組み合わせにおいての種々の変更を成し得るものとする。１つの実施形態に関して記載される特徴は、その互換性がない限り、全ての実施形態に適用され得るものとする。
【発明の効果】
【００４１】
従来問題の少なくとも幾つかを実質的に解消又は緩和する引込み式ハンドル構造が提供される。
【図面の簡単な説明】
【００４２】
【図１】図１は、本発明の１実施形態に従う引込み式ドアハンドル構造を備える車のドアの、ドアハンドルを格納位置で示す部分外観斜視図である。
【図２】図２は、図１の引込み式ドアハンドル構造の機構の正面図である。
【図３】図３は、図１の引込み式ドアハンドル構造の機構の後方正面図である。
【図４】図４は、ドアハンドルを配置状態で示す図１の引込み式ドアハンドル構造の機構の上面図である。
【図５】図５は、ドアハンドルを配置状態で示す図１の引込み式ドアハンドル構造の機構の後方正面図である。
【図６】図６は、ドアハンドルを配置状態で示す図１の引込み式ドアハンドル構造の機構の、下方から見た斜視図である。
【図７】図７は、ドアハンドルを作動状態で示す図１の引込み式ドアハンドル構造の機構の上面図である。
【図８】図８は、ドアハンドルを作動状態で示す図１の引込み式ドアハンドル構造の機構の後方正面図である。
【図９】図９は、ドアハンドルを配置状態で示す図１の引込み式ドアハンドル構造の機構の下方から見た斜視図である。
【図１０】図１０は、図１の引込み式ハンドル構造の作動を制御するシステムの１実施形態の概略図である。
【発明を実施するための形態】
【００４３】
本発明の引込み式ハンドル構造、方法及び車の特定実施形態を以下に説明する。記載される実施形態は本発明を実施可能な特定様相を例示するものであるに過ぎず、本発明の全てを具現化したものではない。実際、ここに記載する引込み式ハンドル構造、方法及び車は種々の且つ別形態において具現化され得る。図面は縮尺通りではなく、幾つかの特徴部は特定コンポーネントの詳細を示すために誇張又は矮小化され得る。よく知られたコンポーネント、材料又は方法については本発明の開示の不明瞭化を回避するべくその詳細は記されない。ここに記載する特定構造及び機能の詳細は請求項に対する根拠であり且つ当業者に本発明の使用の多様性を教示するための代表的根拠であって限定的に解釈されるべきではない。
【００４４】
図１を参照するに、本発明の１実施形態の引込み式ハンドル構造１が示され、ドアハンドル１０は引込み式であり、車のドアに関してフラッシュマウントされている。本図ではドアを表すドアスキン１２は塗装されている。引込み式の引込み式ハンドル構造１はユーザーインタラクションに応じて自動または手動で配置されるように作動自在のハンドル１０を提供し、ハンドル１０は格納状態から配置位置に配置される。ハンドル１０は、配置位置又は少なくとも部分的に配置した位置では、ドアラッチを解放させる作動位置に移動するよう作動自在である。ハンドル１０が配置位置にあるとドアはアンロックされる。
【００４５】
ドアスキン１２には、ハンドル１０をぴったりと受ける水平方向に伸延する長孔１４が貫通される。ハンドル１０の外側表面１６は長孔１４に合致する形状を有し、ハンドル１０は図１に示すように格納されると周囲のドアスキン１２と面一状態に配置される。ハンドル１０の長孔１４及び外側表面１６の形状は審美的理由により選択され、機能的な意味はほとんど無い。
図面の明瞭化のために対比的色調で示されるが、ハンドル１０の少なくとも外側表面１６、そして恐らくはハンドル１０全体は車体と同一色で塗装される。それに代えて、やはり審美上の理由からその他の仕上げを選択できるのは言うまでもない。
【００４６】
図２、３及び４を参照するに、引込み式ハンドル構造１が示され、以下に詳しく説明するように、ハンドル１０を格納状態（格納状況及び格納位置とも称する）と、配置状態（配置状況及び配置位置とも称する）との間で移動させるように作動自在の機構１８を含んでいる。
ハンドル１０はハウジング３内に設けられ、ハウジング３はハンドル１０を受ける孔を有する。ハンドル１０と、ハウジング３、及び又は、ドアスキン１２との間のシールを構成するシール要素４が設けられる。ハンドル１０は細長部材であり、第１端部２０及び第２端部２２を有する。第１端部２０に近接してピボット手段２４が配置され、このピボット手段２４は、ハンドル１０が格納状態と、配置状態との間で移動する際にハンドル１０がその周囲を回転する軸を画定する。ある実施形態ではピボット手段２４上に、ハンドル１０を格納位置に向けて偏倚させる戻りバネ２６が設けられる。ハンドル１０の、外側表面１６とは反対側に配置した内側表面から垂直に作動部材２８が突出する。作動部材２８は第１端部２０からハンドル１０の長さ方向に沿ってピボット手段２４と実質的に同一距離位置に配置される。
【００４７】
機構１８は、伝達手段３２に連結したモーター３０を含む。伝達手段３２はピストン３４と、レバーアーム３８とを含む。ピストン３４は、モーター３０内への埃又は水分の侵入を防止又は低減させる膨張性のシール部材３６にして、グリス等の潤滑材を保持するようにも作用し得るシール部材３６により包囲され得る。ピストン３４は、ラック、クランク機構又はカムによりモーター３０に連結され得、ラックを用いる場合はピニオンギヤ又はウォームギヤを使用してラックを直線駆動させ得る。カム機構を用いる場合はピストン３４を伸張又は引き込む力及び速度を制御又は調節し得る利点がある。他の実施形態ではレバーアーム３８はカム機構に直結され得る。ここに参照することによりその全体を本明細書の一部とする、本願と同一出願人の、“ＲＥＴＲＡＣＴＡＢＬＥ  ＨＡＮＤＬＥ  ＡＲＲＡＮＧＥＭＥＮＴ  ＦＯＲ  Ａ  ＤＯＯＲ  ＯＲ  ＴＨＥ  ＬＩＫＥ”と題するＧＢ１１１０４８７．４及びＰＣＴ／ＥＰ２０１２／０６２０４０には、ピボット動作するレバーアーム３８に好適なそのようなカム機構が記載される。
【００４８】
レバーアーム３８は第１端部４４及び第２端部４６を有し、ピストン３４の移動方向に少なくとも実質的に直角を成すレバーアーム軸４０中心としてピボット取り付けされる。レバーアーム軸４０は、レバーアーム３８の実質的に第２端部４６の位置又は前記第２端部４６に近接する位置で第２端部４６に向けて配置される。ピストン３４は、レバーアーム３８の実質的に第１端部４４の位置又は前記第１端部４４に近接する位置でレバーアーム３８の第１表面に接触する。ハンドル１０の作動部材２８は、レバーアーム軸４０と、レバーアーム３８の第１端部４４との間でレバーアーム３８に接触する。ハンドル１０の作動部材２８は、レバーアーム３８の、第１表面とは反対側の第２表面上でレバーアーム３８と接触し、ハンドル１０の作動部材２８と、レバーアーム３８との間の接触点はレバーアーム３８の第２端部４６に向けて配置される。
【００４９】
レバーアーム３８は、レバーアーム３８が偏倚されて格納位置に戻るように、図４に示す如く戻りバネ１７によりピストン３４に抗して偏倚される。ある実施形態では戻りバネ１７は作動部材２８と係合するように構成及び配置され、レバーアーム３８と、作動部材２８とが共に戻りバネ１７により偏倚されて格納位置に戻るように、レバーアーム３８に抗して作動部材２８を偏倚させる。
引込み式ハンドル構造１は、作動部材２８の、レバーアーム３８とは反対の側部に配置した第２レバーアーム４２を含む。第２レバーアーム４２は第１端部４３及び第２端部４７を有し、ピストン３４の移動方向に実質的に直角を成すレバーアーム軸４１を中心としてピボット取り付けされる。レバーアーム軸４１は、第２レバーアーム４２の第２端部４７の位置又は第２端部４７に近接する位置で第２端部４７に向けて配置される。
【００５０】
ある実施形態では第２レバーアーム４２はその格納状況では作動部材２８から離間、つまり、物理的に接触しない状態とされる。ハンドル１０が配置位置に配置されると作動部材２８は実質的に第２レバーアーム４２部分と接触又は少なくとも非常に接近するように回転する。他の実施形態では第２レバーアーム４２はその格納位置では戻りバネ１９によって作動部材２８に抗して偏倚され、戻りバネ１９は、第２レバーアーム４２が作動部材２８に作用することから、ハンドル１０の格納位置への戻りを容易化する。他の実施形態では第２レバーアーム４２は、ハンドル１０が、従って作動部材２８が配置位置から作動位置に移動する際に作動部材２８に抗してのみ偏倚される。引込み式ハンドル構造１は、作動部材２８がその配置位置から格納位置に戻る際に第２レバーアーム４２が作動部材２８に対向作用するのを防止する端部ストッパを含み得る。
【００５１】
ハンドル１０の作動部材２８はその配置位置ではレバーアーム軸４１と、第２レバーアーム４２の第１端部４３との間で第２レバーアーム４２と実質的に接触する。ハンドル１０の作動部材２８と、第２レバーアーム４２との接触点は第２レバーアーム４２の第２端部４７に向けて配置される。
第２レバーアーム４２には、前記第２レバーアーム４２の実質的に第１端部４３の位置に配置した孔Ａ１が設けられる。孔Ａ１は、ドアラッチ（図示せず）に連結したボーデンケーブル等の連結部材７４（図８に示す）に連結される。
レバーアーム３８は第２クラスレバーを、他方、第２レバーアーム４２は第３クラスレバーを構成することを認識されよう。
【００５２】
引込み式ハンドル構造１は複数のマイクロスイッチＭ１、Ｍ２、Ｍ３、Ｍ４を含む。マイクロスイッチＭ１、Ｍ２、Ｍ３、Ｍ４及びスイッチ１５は、ワイヤハーネス７により制御モジュール５４（図１０に示す）に電気的に接続される。
マイクロスイッチＭ１は第１端部４４に向けてレバーアーム３８上に取り付けられ、レバーアーム３８上にはバネ機構４５が、マイクロスイッチＭ１と、ピストン３４との間に取り付けられる。ハンドル１０が配置状況にある場合、マイクロスイッチＭ１はユーザーがハンドルを格納位置方向に押す方向でハンドル１０に力を行使することで起動される。こうするとバネ機構４５がピストン３４の端部に押し付けられてマイクロスイッチＭ１に作用する。バネ機構４５はユーザーにスイッチ起動を知らせる触覚フィードバックを提供し、ある実施形態ではバネ機構４５がその非偏倚状況に戻る際の可聴クリック音もユーザーへのフィードバックを提供し得る。制御モジュール５４は、マイクロスイッチＭ１が起動されるのに応答して、引込み式ハンドル構造１に対し、ハンドル１０を格納位置に戻してドアをロックするように指令する構成及び配置を有する。ある実施形態では引込み式ハンドル構造は、聴覚又は触覚フィードバックに加えて又は代えて、例えば、引込み式ハンドル構造上又は車の何れかの場所に取り付けたライトを作動させる事による視覚フィードバックを提供し得る。ある実施形態では聴覚フィードバックは、例えば車に取り付けたセキュリティシステムが発生させ得る電子ビープ音又はその他ノイズの形態を取り得る。
【００５３】
マイクロスイッチＭ２は制限スイッチであり、レバーアーム３８がその配置位置に駆動される際にレバーアーム３８により起動される。制御モジュール５４は、マイクロスイッチＭ２が起動されるとモーター３０にピストン３４の伸張を停止させるように指令する構成及び配置を有する。
マイクロスイッチＭ３は制限スイッチであり、レバーアーム３８がその格納位置に戻る際にレバーアーム３８により起動される。制御モジュール５４は、マイクロスイッチＭ３が起動されるとモーター３０にピストン３４の引込み停止を指令する構成及び配置を有する。
マイクロスイッチＭ４は随意的なものであり、ハンドル１０が配置位置から作動位置に移動する際又はそれ以前に１つの機能を起動させるために使用され得、マイクロスイッチＭ４は例えば、フレームレス式ドアウィンドウ（そのようなウィンドウは一般に車体又はフレーム内に伸延してシールを形成し、ドアを開けるには、ドア内にウィンドウを少なくとも部分的に引き込ませてウィンドウを車体又はフレームから引き出す必要がある）を含む車に設け得る。制御モジュール５４は、マイクロスイッチＭ４が起動されるとウィンドウシステムにウィンドウをドア内に引き込ませるように指令する構成及び配置を有する。
【００５４】
別の実施形態ではマイクロスイッチＭ４は省略され得、システムは、ハンドル１０を配置位置に配置する要求を検出し、ドアウィンドウを車体又はフレームから引き出すためのドアウィンドウの移動を開始させるようにプログラムされ得る。あるいはシステムは、ハンドル１０を配置させる指令を受けると、ドアを開放させ得るに十分なだけ部分的にドアウィンドウを引き込む又は降下させる指令をそれ用のアクチュエータに送るように構成され得る。このアクチュエータは、ハンドルを配置させ且つドアを開放させ得るに十分なだけドアウィンドウを部分的に引き込む又は降下させるために使用可能であり、その場合、ウィンドウはハンドルが配置されると自動的に部分的に引込み又は降下され得る。そのような実施形態では、ドアウィンドウはハンドル１０が完全配置位置に至る前に引き込まれることが想定されるため、ドアウィンドウが車体又はフレーム内部に上昇する間にユーザーがドアを開放させる恐れが低下される。
【００５５】
図１、２、３に例示する格納状態では、ハンドル１０の外側表面１６は周囲ドアスキン１２と面一配置されている。ハンドル１０は、種々の事象に応答してその格納状態から配置状態に自動的に駆動され得る。例えば、この移動は、車の合鍵からの又は車の至近距離に存在する合鍵を検出する存在センサからのアンロック信号に応答したものであり得る。その逆にハンドル１０は、車を施錠した合鍵からの又は合鍵が車の至近距離に残されていると判定する存在センサからのロック信号に応答してその配置位置から格納位置に戻るように自動的に駆動又は偏倚され得る。ハンドル１０は、ユーザーによるその後のアクション、例えば、車のドア上のスイッチ（図１には示されない）を押すアクションに応答してその格納位置と、配置位置との間をトグル作動され得る。
【００５６】
図４、５、６を参照するに、ハンドル１０はその配置位置で、ハンドルの第２端部２２が、ユーザーが指を置けるに十分な量で長孔１４（図４、５、６には示されない）からハンドル１０の周囲に突出するよう、戻りバネ１７、及び又は、戻りバネ２６の偏倚力に抗してピボット手段２４の周囲で回転される。
図４、５、６に示す本発明の実施形態の引込み式ハンドル構造１は、ハンドル１０の長手方向に沿って、及び第２端部２２の一部に沿って内側表面に実質的に直角を成して伸延する上部カバー部分７２を含む。
上部カバー部分７２が存在するため、ユーザーは関連するドアを開放させるにはハンドル１０をアンダーハンドで把持する必要がある。このハンドル構成の、先に説明したバータイプのハンドルに勝る利点は、ハンドルが配置位置にある場合は、上部カバー部分７２により、ハンドル１０への衣服、バッグストラップ等のループ絡みが防止され得ることである。従って、そのようなハンドルによれば安全面での向上が提供される。
【００５７】
先に説明したように、ハンドル１０が作動状況にあるとドアは開放される。図７、８、９に示すような作動状況は、ハンドル１０が配置位置を越えてピボット手段２４の周囲で更に回転された位置に相当する。引込み式ハンドル構造１の作動を以下に詳しく説明する。
図３、４、５を参照するに、ハンドル１０が格納位置にあるとレバーアーム３８及び第２レバーアーム４２は実質的に垂直に配置される。戻りバネ２６、及び又は、戻りバネ１７は、ハンドル１０をその格納位置方向に偏倚させるように作用する。従って、ハンドル１０の作動部材２８はレバーアーム３８に押し付けられ、それによりレバーアーム３８の第１端部４４がピストン３４に押し付けられる。ハンドル１０を配置するためにモーター３０を駆動させるとピストン３４が図５に示す如く矢印Ｄ１方向に伸張する。
【００５８】
図４、５、６を参照するに、ピストン３４が伸張するとレバーアーム３８がレバーアーム軸４０を中心としてピボット作動する。レバーアーム３８の第１端部４４が図５に示す如く矢印Ｄ２方向に移動する。レバーアーム３８はハンドル１０の作動部材２８に押し当てられ、かくしてハンドル１０を配置位置に達するまで図４に示す如き矢印Ｄ３の方向でピボット手段２４の周囲で回転させ、ハンドルが配置位置に到達するとマイクロスイッチＭ３が起動してモーター３０を停止させる。
モーター３０及びレバーアーム３８は、湿潤且つ凍結条件下でハンドル１０の氷を割る（約２００Ｎの力を要する）に十分であるようなものが選択される。
【００５９】
ハンドル１０を配置位置から格納位置に戻すためにはモーター３０を逆転作動させ、ピストン３４を図５の矢印Ｄ１とは逆方向に引き込ませる。戻りバネ２６、及び又は、戻りバネ１７の偏倚力によりハンドル１０は格納位置方向に移動する。ハンドル１０が引き込まれるに従い、作動部材２８がレバーアーム３８を回転させて図３に示すその初期位置に戻す。従って、ハンドル１０の引込み中、モーター３０が作動しても機構１８はハンドル１０に閉鎖力を付加しない。これは、引込み中のハンドル１０をユーザーが保持している場合にユーザーの手に対する反力が戻りバネ２６、１７の反力に限定される点で有益である。
ユーザーはハンドル１０の、第２端部２２と、ピボット手段２４との間を押してマイクロスイッチＭ１を起動させることでハンドル１０の引込みを開始させ得る。
ハンドルの配置速度は、モーター３０の速度を調節することで変更させ得、この調節はモーター３０への供給電圧を低下させることで達成できる。ある実施形態では、供給電圧を有効にオンオフさせてモーター３０を横断する有効電圧を低下させる信号を用いて供給電圧を調節することで達成される。初期配置相中において、ハンドル１０は比較的ゆっくり移動する。第２配置相では供給電圧が増加される。これにより、ハンドル１０はより高速で移動する。
【００６０】
本発明の更に他の実施形態では、供給電圧はハンドル１０の第３配置相が生じるように調節される。詳しくは、供給電圧は第２配置相の後に低下される。従って、ハンドル１０は、第２配置相中に素早く移動した後、第３配置相中はその配置位置で停止するまで徐々にスローダウンし、かくして心地よい審美的効果が創出される。
初期、第２及び第３の配置相を参照して説明したが、供給電圧は各配置相間に連続的に移行するように調節され得る。
【００６１】
図７、８、９を参照するに、ドアを開けるにはユーザーは、ハンドル１０をピボット手段２４の周囲でピボット作動させてハンドル１０を作動させ、ハンドル１０の第２端部２２を、ハンドル１０が作動位置に到達するまで矢印Ｄ４で示す方向に引く。こうすると作動部材２８は矢印Ｄ５で示す方向に回転して第２レバーアーム４２と係合し、第２レバーアーム４２を矢印Ｄ６で示す方向にピボット軸４１の周囲をピボット作動させる。かくして第２レバーアーム４２が連結部材７４を引いてドアラッチを解放させる。連結部材７４はクリップ８、９によりハウジング３に装着される。ユーザーがハンドル１０を離すと戻りバネ１９が第２レバーアーム４２に作用して第２レバーアーム４２をその配置位置に戻し、これにより第２レバーアーム４２が作動部材２８に作用してハンドル１０をその配置位置に戻す。作動部材２８はその配置位置に戻り、この配置位置でレバーアーム３８と接触する。
【００６２】
図２を参照するに、ハンドル１０はその外側表面１６上に配置したアンロックボタン４９をも含み、アンロックボタン４９はスイッチ又はセンサ１５に連結される。アンロックボタン４９は接触感知ボタン、即ち、容量センサであり得、あるいは、マイクロスイッチであり得る。アンロックボタン４９の全機能については以下に詳しく説明される。しかしながら、ハンドル１０上におけるアンロックボタン４９の位置はユーザーに対して直覚的であり且つ引込み式ハンドル構造１の誤使用の恐れが低減されるように選択される。
【００６３】
アンロックボタン４９はハンドル１０の第１端部２０に隣り合って配置される。先に説明したように、ユーザーがハンドル１０を操作する際、ユーザーの親指は代表的には第１端部２０に位置付けられる。かくして、ユーザーが親指でアンロックボタン４９を押すと関連するドアがアンロックされてハンドル１０がその配置位置に移動し、ユーザーの手は自然に、配置されたハンドル１０を把持し、ハンドルをその作動位置に引いてドアを開けるために容易で且つ好都合であるように位置決めされる。
【００６４】
更に、アンロックボタン４９は、ユーザーが、例えばモーター３０への電力喪失時に手動でハンドル１０を配置させる必要がある場合に有益であるように位置決めされる。この場合、ユーザーがアンロックボタン４９に圧力を加えると関連するドアは先に説明した如くアンロックされる。次いで、ユーザーがアンロックボタン４９に更に強い圧力を加えるとハンドル１０は戻りバネ２６の偏倚力に抗してピボット手段２４の周囲で回転する。ハンドルの第２端部２２が長孔１４から突出するとユーザーはハンドル１０を把持し、ハンドルをその作動位置に引いてドアを開けることができる。従って、ユーザーは、高度の熟練を要するもっと複雑なアクションを必要とすることなく、アンロックボタン４９を単に押すだけでハンドル１０を手動で配置させ得る。ユーザーは、例えば、ハンドル１０の第１端部２０と、ピボット手段２４との間部分に片方の手の親指で力を加え、その後、ハンドル１０の第２端部２２と、ピボット手段２４との間部分を同じ手の１本又は１本以上の指で把持する又は引くことでハンドル１０を片手で配置させ得る。ハンドル１０は手動的又は自動的にその格納位置から配置位置に移動され得る。
【００６５】
他の実施形態ではアンロックボタン４９は第２端部２２に近接して位置付けられ得、ユーザーは片手でハンドル１０を配置及び作動させ得、ユーザーは親指で、ハンドル１０が自動的に配置されるようにアンロックボタン４９を押すことが出来、その後、ユーザーは同じ手の１本又は１本以上の指で第２端部２２と、ピボット手段２４との間部分を把持してハンドル１０を操作し得る。
図２に示す実施形態ではピボット手段２４は、第１端部２０が車に関して最前方に配置され、ユーザーが片手操作する際にハンドル１０をアンダーハンドで、言い換えれば右手で下側から把持することを想定して、第２端部２２よりも第１端部２０に接近して位置付けられる。
【００６６】
他の実施形態ではその他の構成、例えば、これに限定しないが、ピボット手段２４を第２端部２２よりも第１端部２０に接近して位置付け、ユーザーが片手操作する際にハンドル１０をオーバーハンドで、言い換えれば右手で上側から把持することを想定して、第２端部２２を最前方に配置し得る。あるいはピボット手段２４は、第１端部２０が最前方に配置され得、ユーザーが片手操作する際にハンドル１０をアンダーハンドで、言い換えれば左手で下側から把持することを想定して、第１端部２０よりも第２端部２２に接近して位置付け得る。更に他の実施形態ではピボット手段２４は、第２端部２２が車に関して最前部に配置され得、ユーザーが片手操作する際にハンドル１０をオーバーハンドで、言い換えれば、左手で上から把持することを想定して、第１端部２０より第２端部２２により接近して配置され得る。
【００６７】
更に、上述した構成によれば、アンロックボタン４９の機能は引込み式ハンドル構造１の操作に不慣れなユーザーにとって直覚的なものとなる。詳しくは、ハンドル１０の第１端部２０位置に存在するアンロックボタン４９の位置は、ハンドル１０上のこの位置を押すことでハンドル１０がその格納位置から配置位置に移動することから、ユーザーにドアの開放を連想させる。ロック機能を作動させるためにはユーザーにはハンドル１０を格納位置に押すことのみが要求され、バネ機構４５がハンドル１０の所定程度の移動を許容し、その移動の間、ピストン３４及びモーター３０への伝達力が制限され、かくして、ピストン３４、モーター３０、及び又は、その間の駆動機構部分への損傷の恐れが低減される。
【００６８】
図１０を参照するに、上述した種類の引込み式ハンドル構造１の制御用システムが示され、車の各引込み式ハンドル構造１の機構１８を制御する制御モジュール５４を含んでいる。図７では片手構成のみを示すが、車の各ドアに引込み式ハンドル構造１を設け得ることを認識されよう。
制御モジュール５４は、無線通信モジュール５６、車速センサ５８、車警報システム６０、車のキャビン内のドアロック及びアンロックボタン６２、ハンドル照明６４、ドアアジャースイッチ６６にも連結される。無線通信モジュール５６は車のキーフォブ６８からの信号を受けるように作動自在である。キーフォブ２６には、各ドアロック及びアンロックボタンと、ユーザーが関連するボタンを押すのに応じて各ロック及びアンロック信号を無線通信モジュール５６に送る手段とが設けられる。無線通信モジュール５６は、車のターゲット距離（代表的には１〜２ｍ）範囲内に存在する、パッシブエントリーを可能にするスマートキー７０の存在を検出するようにも作動自在である。車のドライバー用ドアは、ドライバー用ドアハンドルの裏側に随意的に位置決めしたキーバレル５０を介して、車外から機械的にロック又はアンロックさせることも出来る。かくして、キーバレル５０はハンドルを配置位置又は作動位置に移動すると露呈され得る。キーバレル５０は、ロックレバー５１の一端に装着したボーデンケーブル等の連結要素７５により車のドアロック（あるいはその他機能）に連結される。キーバレル５０はハウジング３内の孔を通過し、ロックレバー５１はキーバレル５０の内側端部に装着される。
【００６９】
各引込み式ハンドル構造１は、ハンドル１０及びその直近の周囲部分を照明して薄暗い状況下でのドア開放を容易化するためのＬＥＤ等の照明６４を含み得る。ある実施形態ではＬＥＤはハンドル１０の下端部に近接してハンドル１０の内側表面に取り付けられ得、上部カバー部分７２から遠い下方ポイント部分を照明するように構成される。更に他の実施形態ではＬＥＤはパッケージ空間上可能である限りにおいて異なる位置に取り付けられ、光ファイバケーブルあるいはその他の好適な光チャネリング装置の一端がＬＥＤに連結される。光ファイバケーブルの他端はハンドル１０の下端部に近接してハンドル１０の内側表面に取り付けられ且つ上部カバー部分７２から遠い下方ポイント部分を照明するように構成される。各引込み式ハンドル構造１は、ハンドル１０の格納位置及び配置位置をそれぞれ検出する一対の制限スイッチをも含み得る。
【００７０】
以下に制御モジュール５４の操作を詳しく説明する。
車が駐車している場合、各ハンドル１０はその関連するドアがロックされていると格納位置、即ち、ドアスキン１２と面一配置され、各ハンドル１０はその関連するドアがアンロックされると配置位置を取る。かくして、ハンドル１０の配置はアンロック操作によって開始され、ハンドル１０の引込みはロック操作により開始される。
ロック及びアンロックはキーフォブ６８上のロックボタン及びアンロックボタンの何れかを使用することにより、又は各ハンドル１０上に設けたパッシブエントリー用のアンロックボタン４９を使用すること、及びハンドル１０を押してマイクロスイッチＭ１を起動させることにより開始される。随意的にはロックボタン（図示せず）はハンドル上に設け得、ロックボタンはハンドルの外側表面１６上の、ハンドル１０の実質的にピボット点位置に位置付け得る。更に詳しくは、パッシブエントリーを介してのアクセス用にはユーザーはスマートキー７０を携行する。スマートキー７０が特定のドアハンドル１０のターゲット範囲（代表的には１〜２ｍ）内に有る場合にドアアンロックボタン４９を操作すると、制御モジュール５４は無線通信モジュール５６を介して信号を受けることでスマートキー７０の存在を認証するように作動自在であり、アンロックされた全てのドアのハンドル１０が配置位置とされる。これによりユーザーはアンロックされたドアの関連するハンドル１０をその配置位置から図７、８、９に示すような作動位置に引いてドアラッチを外すことで、アンロックされたドアを開けることが出来る。各ハンドル１０は関連するドアがロックされると格納位置に戻る。これは、ユーザーがハンドル１０上に圧力を付加する又は押すことにより、又は車のキャビン内のドアロック及びアンロックボタン６２、又はキーフォブ６８上のロックボタンにより達成され得る。
【００７１】
ある実施形態ではハンドル１０の格納位置から配置位置への配置は、ハンドル１０が格納位置にある間にユーザーがハンドル１０の第２端部２２と、ピボット手段２４との間部分を押し、ハンドルの第２端部２２がドアキャビティ内方に付勢されてマイクロスイッチＭ１を起動させることにより開始される。
従って、各ハンドル１０の配置位置は、個別の各ドア用のロック状態インジケータとして作用する。この作用は、全てのドアの全てのハンドル１０がロック又はアンロック状態を問わず格納される車の走行時は除外される。アンロック状態のドアのハンドル１０は、車が車速センサ５８により判定され得る閾値速度、例えば毎時５マイル（毎時約８ｋｍ）を越えると格納位置に引き込まれ得る。その後、アンロック状態のドアのハンドル１０は車の走行中は格納位置のままとされ、車が静止しており且つ（ｉ）何れか１つのドアが内側から開けられた（各ドアに設けたドアアジャースイッチ６６により判定され得る）場合、（ｉｉ）スマートキー７０が存在しなくとも、アンロック状態のドアのハンドルのアンロックボタン４９が誰かに操作された場合（乗員を乗車させる際等）又は（ｉｉｉ）キャビン内のドアロック及びアンロックボタン６２が押された場合、の何れかであると判定された場合にのみ、再度配置位置とされる。
【００７２】
ハンドル１０を車の方向に押してマイクロスイッチＭ１を起動される又は随意的なロックボタンを押すと車は全体的にロックされ、もし該当するならば車警報システム６０がセットされる。ハンドル１０又はロックボタンを所定時間長、例えば３秒以内にもう一度押すとデッドロック装置が起動される。ハンドル１０はハンドル１０又はロックボタンの一回目の押し込みに応答して格納状態に引き込められる。“グローバルクローズ”はハンドル１０又はロックボタンを押し且つ保持することによる影響を受ける、即ち、これにより、開放されたウィンドウは自動閉鎖され、もしその車が該当するならば引込み式ルーフ等が配置位置とされる。
ハンドルの照明６４は車をアンロックするとスイッチオンされ、車をロックさせるとスイッチオフされる。車が所定時間長、例えば２０秒以上アンロック状態のままであるとシステムは照明６４を消灯させるように構成される。また照明６４は、イグニションをオン又は回転してオンにすると起動されない又は消灯される。
【００７３】
ユーザーは、配置状態のハンドル１０を作動状態に引き出すに十分把持できるのであれば、ドアを開ける前にハンドルのアンロックボタン４９を押した後にハンドル１０が完全に配置されるのを待つ必要はない。
以上、本発明を実施例を参照して説明したが、本発明の内で種々の変更をなし得ることを理解されたい。例えば、本発明のその他実施形態では、ハンドル１０はアンダーハンド又はオーバーハンドで把持できるバータイプハンドルである。そのようなバータイプハンドルの場合、ハンドルをその配置位置から作動状態に引く際、ユーザーは親指を代表的にはハンドル１０の第１端部２０に向けて位置決めする。
【符号の説明】
【００７４】
１  引込み式ハンドル構造
３  ハウジング
４  シール要素
７  ワイヤハーネス
８  クリップ
１０  ハンドル
１２  ドアスキン
１４  長孔
１５  スイッチ／センサ
１６  外側表面
１７  戻りバネ
１８  機構
１９  機構／戻りバネ
２０  第１端部
２２  第２端部
２４  ピボット手段
２６  戻りバネ
２６  キーフォブ
２８  作動部材
３０  モーター
３２  伝達手段
３３  第２端部
３４  ピストン
３６  シール部材
３８  レバーアーム
４０  レバーアーム軸
４１  レバーアーム軸
４１  ピボット軸
４２  第２レバーアーム
４３、４４  第１端部
４５  バネ機構
４６、４７  第２端部
４９  アンロックボタン
５０  キーバレル
５１  ロックレバー
５４  制御モジュール／制御ユニット
５６  無線通信モジュール
５８  車速センサ
５９  アンロックボタン
６０  車警報システム
６２  ドアロック及びアンロックボタン
６４  ハンドル照明
６６  ドアアジャースイッチ
６８  キーフォブ
７０  スマートキー
７２  上部カバー部分
７４  連結部材
７５  連結要素
【図１】
2019049188.tif 000003
【図２】
2019049188.tif 000004
【図３】
2019049188.tif 000005
【図４】
2019049188.tif 000006
【図５】
2019049188.tif 000007
【図６】
2019049188.tif 000008
【図７】
2019049188.tif 000009
【図８】
2019049188.tif 000010
【図９】
2019049188.tif 000011
【図１０】
2019049188.tif 000012
【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
車両の引き込み式ハンドル構造であって、
第１端部及び第２端部を有し、前記第１端部と前記第２端部との間に配置されたハンドルピボット軸を中心としてピボット取り付けされ、格納位置と配置位置との間で枢動可能なハンドルと、
前記ハンドルの位置を制御するための駆動機構と、
少なくとも１つのセンサと、
を含み、
前記格納位置において、前記ハンドルは、前記ハンドルが取り付けられるパネルと面一配置されるように構成され、
前記配置位置において、前記ハンドルの前記第１端部は前記パネルの内側に回転し、前記ハンドルの前記第２端部は前記パネルの外側に回転し、
前記ハンドルが前記格納位置にあるとき、前記ハンドルの前記第１端部又は前記第２端部のうちの１つが前記パネルの内側へ移動することを検出するように前記少なくとも１つのセンサが構成される、
引き込み式ハンドル構造。
【請求項２】
前記少なくとも１つのセンサがスイッチである、請求項１に記載の引き込み式ハンドル構造。
【請求項３】
前記少なくとも１つのセンサがマイクロスイッチである、請求項２に記載の引き込み式ハンドル構造。 
【請求項４】
前記ハンドルを前記格納位置方向に付勢させるように構成された戻りばねを含む、請求項１〜３のいずれか１つに記載の引き込み式ハンドル構造。
【請求項５】
前記少なくとも１つのセンサが、前記ハンドルが前記格納位置にあるとき起動されるように構成された制限スイッチを含む、請求項１〜４のいずれか１つに記載の引き込み式ハンドル構造。
【請求項６】
前記ハンドルを前記格納位置から前記配置位置に動かすためのレバーアームを含む、請求項１〜５のいずれか１つに記載の引き込み式ハンドル構造。
【請求項７】
前記レバーアームが前記格納位置に戻るとき前記レバーアームによって起動されるように制限スイッチが構成される、請求項５に記載の引き込み式ハンドル構造。
【請求項８】
前記駆動機構が前記レバーアームに連結され、その使用中に、前記レバーアームを前記ハンドルと作動上係合させて前記ハンドルを前記格納位置から前記配置位置に移動させるように作動自在であり、前記少なくとも１つのセンサが前記レバーアームの上に取り付けられ、前記レバーアームと前記駆動機構との間に配置される、請求項６または７に記載の引き込み式ハンドル構造。
【請求項９】
ハウジングと、前記ハウジングにピボット取り付けされた引き込み式ハンドルを含み、前記少なくとも１つのセンサが前記ハウジングに取り付けられる、請求項１〜７のいずれか１つに記載の引き込み式ハンドル構造。
【請求項１０】
前記ハンドルピボット軸は前記ハンドルを貫いて伸延し且つ前記ハンドル内に配置される、請求項１〜９のいずれか１つに記載の引き込み式ハンドル構造。
【請求項１１】
前記ハンドルは、前記ハンドルの前記第１端部と前記第２端部との間を伸延する長手方向軸を含み、前記ハンドルピボット軸は前記長手方向軸と実質的に直角を成して配置される、請求項１〜１０のいずれか１つに記載の引き込み式ハンドル構造。
【請求項１２】
前記ハンドルは、前記駆動機構とは無関係に手動で前記格納位置から前記配置位置に移動し得るように駆動機構に連結される、請求項１〜１１のいずれか１つに記載の引き込み式ハンドル構造。
【請求項１３】
前記ハンドルは、少なくとも一時的に前記駆動機構から分離自在である、請求項１２に記載の引き込み式ハンドル構造。
【請求項１４】
前記ピボット軸は第１端部の近くに配置される、請求項１〜１３のいずれか１つに記載の引き込み式ハンドル構造。
【請求項１５】
前記配置位置にあるとき前記ハンドルに付加される力を検出するための前記少なくとも１つのセンサを含み、前記力は前記ハンドルを前記格納位置方向に付勢させるような方向である、請求項１〜１４のいずれか１つに記載の引き込み式ハンドル構造。
【請求項１６】
前記配置位置にあるとき前記ハンドルに付加される力を検出するための前記少なくとも１つのセンサが、前記ハンドルの前記配置位置から前記格納位置への移動を検出するように構成されたセンサを含む、請求項１５に記載の引き込み式ハンドル構造。
【請求項１７】
前記ハンドルに付加される力を検出するための前記少なくとも１つのセンサが、前記ハンドルが前記格納位置にあるとき、前記ハンドルの前記第１端部又は前記第２端部のうちの１つが前記パネルの内側へ移動することを検出するように構成される前記少なくとも１つのセンサと同じである、請求項１５または１６に記載の引き込み式ハンドル構造。
【請求項１８】
前記配置位置にあるとき前記ハンドルに付加される力を検出するための前記少なくとも１つのセンサを起動させるに十分な力が前記ハンドルに付加されたことをユーザーに表示するフィードバック装置を含む、請求項１５〜１７のいずれか１つに記載の引き込み式ハンドル構造。
【請求項１９】
前記ハンドルが前記格納位置にあるとき、前記ハンドルの前記第１端部又は前記第２端部のうちの１つが前記パネルの内側へ移動することを前記少なくとも１つのセンサが検出することに依存して、前記ハンドルを前記格納位置から前記配置位置に移動させるように構成された制御ユニットを含む、請求項１〜１８のいずれか１つに記載の引き込み式ハンドル構造。
【請求項２０】
前記配置位置にあるとき前記ハンドルに付加される力を検出するための前記少なくとも１つのセンサが、前記配置位置にあるとき前記ハンドルに付加される力を検出することに依存して、前記ハンドルを前記配置位置から前記格納位置に移動させるように前記制御ユニットが構成され、前記力は前記ハンドルを前記格納位置方向に付勢させるような方向である、請求項１９に記載の引き込み式ハンドル構造。
【請求項２１】
請求項１〜２０のいずれか１つに記載の引き込み式ハンドル構造を含む車両用の車体コンポーネント。
【請求項２２】
請求項１〜２０のいずれか１つに記載の引き込み式ハンドル構造、および／又は請求項２１に記載の車体コンポーネントを含む車両。
【請求項２３】
車両の引き込み式ハンドル構造であって、
第１端部及び第２端部を有し、前記第１端部と前記第２端部との間に配置されたハンドルピボット軸を中心としてパネル内にピボット取り付けされ、格納位置と配置位置との間で枢動可能なハンドルと、
前記格納位置にあるとき、前記ハンドルを前記配置位置に付勢させるような方向である力が前記ハンドルへ付加されることを検出するための少なくとも１つの検出手段と、
前記ハンドルに駆動連結した駆動機構と、
を含み、
前記格納位置において、前記ハンドルは、前記ハンドルが取り付けられるパネルと面一配置されるように構成され、
前記配置位置において、前記ハンドルの前記第１端部は前記パネルの内側に回転し、前記ハンドルの前記第２端部は前記パネルの外側に回転し、
前記少なくとも１つの検出手段が前記力を検出すると、前記駆動機構が前記ハンドルを前記格納位置から前記配置位置に移動させる、
引き込み式ハンドル構造。
【請求項２４】
車両の引き込み式ハンドル構造であって、
第１端部及び第２端部を有し、前記第１端部と前記第２端部との間に配置されたハンドルピボット軸を中心としてパネル内にピボット取り付けされ、格納位置と配置位置との間で枢動可能なハンドルと、
前記格納位置にあるとき、前記ハンドルを前記格納位置に付勢させるような方向である力が前記ハンドルへ付加されることを検出するための少なくとも１つの検出手段と、
前記ハンドルに駆動連結した駆動機構と、
を含み、
前記格納位置において、前記ハンドルは、前記ハンドルが取り付けられるパネルと面一配置されるように構成され、
前記配置位置において、前記ハンドルの前記第１端部は前記パネルの内側に回転し、前記ハンドルの前記第２端部は前記パネルの外側に回転し、
前記少なくとも１つの検出手段が前記力を検出すると、前記駆動機構が前記ハンドルを前記格納位置から前記配置位置に移動させる、
引き込み式ハンドル構造。
【請求項２５】
前記ハンドルは、前記ハンドルの前記第１端部と前記第２端部との間を伸延する長手方向軸を含む細長部材であり、
前記ハンドルが前記長手方向軸を水平方向に向けて前記パネル内に配置される、
請求項２３または２４に記載の引き込み式ハンドル構造。
【請求項２６】
前記ピボット軸が、前記第２端部よりも前記第１端部により近く配置される、
請求項２３に記載の引き込み式ハンドル構造。
【請求項２７】
車両の引き込み式ハンドル構造であって、
細長部材を有するハンドルにして、前記細長部材が第１端部及び第２端部と、前記第１端部と前記第２端部との間を伸延する長手方向軸と、前記第１端部と前記第２端部との間に配置されたハンドルピボット軸と、を含み、ピボット軸を中心として格納位置と、配置位置との間でピボット取り付けされたハンドルと、
前記ハンドルの位置を制御するために前記ハンドルに駆動連結した駆動機構と、
前記格納位置にあるとき、前記ハンドルに付加される力を検出するための少なくとも１つの検出手段と、を含み、
前記力は前記ハンドルを前記配置位置に付勢させるように、前記ピボット軸と前記第１端部との間に付加され、
前記格納位置において、前記ハンドルは、前記ハンドルが取り付けられるパネルと面一配置されるように構成され、
前記少なくとも１つの検出手段が前記力を検出すると、前記駆動機構が前記ハンドルを前記格納位置から前記配置位置に移動させる、
引き込み式ハンドル構造。
【請求項２８】
車両の引き込み式ハンドル構造であって、
細長部材を有するハンドルにして、前記細長部材が第１端部及び第２端部と、前記第１端部と前記第２端部との間を伸延する長手方向軸と、前記第１端部と前記第２端部との間に配置されたハンドルピボット軸と、を含み、前記ピボット軸を中心として格納位置と、配置位置との間でピボット取り付けされたハンドルと、
前記ハンドルの位置を制御するために前記ハンドルに駆動連結した駆動機構と、
前記格納位置にあるとき、前記ハンドルに付加される力を検出するための少なくとも１つの検出手段と、を含み、
前記力は前記ハンドルを前記格納位置に付勢させるように、前記ピボット軸と前記第２端部との間に付加され、
前記格納位置において、前記ハンドルは、前記ハンドルが取り付けられるパネルと面一配置されるように構成され、
前記少なくとも１つの検出手段が前記力を検出すると、前記駆動機構が前記ハンドルを前記格納位置から前記配置位置に移動させる、
引き込み式ハンドル構造。
【請求項２９】
前記ピボット軸が、前記ハンドルの前記第２端部よりも前記第１端部により近く配置され、前記ハンドルが回転可能となる軸を画定する、
請求項２７または２８に記載の引き込み式ハンドル構造。
【請求項３０】
配置位置において、前記ハンドルの前記第１端部は前記パネルの内側に回転し、前記ハンドルの前記第２端部は前記パネルの外側に回転する、請求項２７〜２９のいずれか１つに記載の引き込み式ハンドル構造。
【請求項３１】
前記パネルが、水平方向に伸延し前記ハンドルを受け入れる長孔を含む、請求項２３〜３０のいずれか１つに記載の引き込み式ハンドル構造。
【請求項３２】
車両の引き込み式ハンドル構造であって、
第１端部及び第２端部を有し、前記第１端部と前記第２端部との間に配置されたハンドルピボット軸を中心としてピボット取り付けされ、格納位置と配置位置との間で枢動可能なハンドルと、
前記ハンドルの位置を制御するための駆動機構と、
少なくとも１つの検出手段と、
を含み、
前記格納位置において、前記ハンドルは、前記ハンドルが取り付けられるパネルと面一配置されるように構成され、
前記配置位置において、前記ハンドルの前記第１端部は前記パネルの内側に回転し、前記ハンドルの前記第２端部は前記パネルの外側に回転し、
前記少なくとも１つの検出手段は、前記ハンドルが前記格納位置にあるとき、前記ハンドルの前記第１端部又は前記第２端部のうちの１つが前記パネルの内側へ移動することを検出するように構成される、
引き込み式ハンドル構造。
【請求項３３】
前記少なくとも１つの検出手段が前記移動を検出すると前記起動機構が前記ハンドルを前記格納位置から前記配置位置に移動させる、請求項３２に記載の引き込み式ハンドル構造。
【請求項３４】
車両の引き込み式ハンドル構造であって、
第１端部及び第２端部を有し、前記第１端部と前記第２端部との間に配置されたハンドルピボット軸を中心としてピボット取り付けされ、格納位置と配置位置との間で枢動可能なハンドルと、
前記ハンドルの位置を制御するための駆動機構と、
少なくとも１つの検出手段と、
を含み、
前記格納位置において、前記ハンドルは、前記ハンドルが取り付けられるパネルと面一配置されるように構成され、
前記配置位置において、前記ハンドルの前記第１端部は前記パネルの内側に回転し、前記ハンドルの前記第２端部は前記パネルの外側に回転し、
前記少なくとも１つの検出手段は、前記ハンドルが前記配置位置にあるとき、前記ハンドルの前記第１端部又は前記第２端部のうちの１つが前記パネルの内側へ移動することを検出するように構成される、
引き込み式ハンドル構造。
【請求項３５】
前記少なくとも１つの検出手段が前記移動を検出すると前記起動機構が前記ハンドルを前記配置位置から前記格納位置に移動させる、請求項３４に記載の引き込み式ハンドル構造。
【請求項３６】
前記ハンドルは、前記ハンドルの前記第１端部と前記第２端部との間を伸延する長手方向軸を含む細長部材であり、
前記ハンドルが前記長手方向軸を水平方向に向けて前記パネル内に配置される、
請求項３２〜３５のいずれか１つに記載の引き込み式ハンドル構造。
【請求項３７】
前記少なくとも１つの検出手段がスイッチを有する、請求項３２〜３６のいずれか１つに記載の引き込み式ハンドル構造。
【請求項３８】
前記少なくとも１つの検出手段がセンサを有する、請求項３２〜３６のいずれか１つに記載の引き込み式ハンドル構造。